【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】音声符号化パケットの第１のストリームを生成する手段と、
ストリームのシグナリングメッセージパケットの第２のストリームを生成する手段と、
前記音声符号化パケットの第１のストリームに対して前記シグナリングメッセージパケットの第２のストリームを優先順位づけする手段と、
前記音声符号化されたパケットと優先順位づけされたシグナリングメッセージパケットを調停する手段と、
前記音声符号化パケットと優先順位づけされたシグナリングメッセージパケットとの間の調停の関数として前記音声符号化パケットと優先順位づけされたシグナリングメッセージパケットを多重化する手段と、および
前記多重化された音声符号化パケットと前記優先順位づけされたシグナリングメッセージパケットを送信する手段と、
を具備した無線通信のためのシステム。
【請求項２】前記シグナリングメッセージパケットを高優先度および低優先度に優先順位づけする手段をさらに有し、
前記調停手段は、前記シグナリングメッセージパケットの割り当てられた優先度の関数として前記多重化された音声符号化パケットとシグナリングメッセージパケットの送信をスケジュールするための手段から構成される、請求項１記載のシステム。
【請求項３】音声符号化パケットの第１のストリームを生成する手段と、
シグナリングメッセージパケットの第２のストリームを生成する手段と、
前記第１のストリームの音声符号化パケットに対して前記第２のストリームのシグナリングメッセージパケットを高優先度パケットと低優先度パケットに優先順位づけする手段と、
前記音声符号化されたパケットと優先順位づけされたシグナリングメッセージパケットとの間で調停する手段と、
前記音声符号化パケットと優先順位づけされたシグナリングメッセージパケットを、前記音声符号化パケットと優先順位づけされたシグナリングメッセージパケットとの間の調停の関数として多重化する手段と、
前記多重化された音声符号化パケットと前記優先順位づけられたシグナリングメッセージパケットを送信する手段と、
前記調停手段は、前記多重化された音声符号化パケットとシグナリングメッセージパケットの送信を前記シグナリングメッセージパケットの前記割り当てられた優先度の関数としてスケジュールするための手段を備え、
シグナリングメッセージパケットを送信するための割り当てられた最大待ち時間の関数として前記優先順位づけされたシグナリングメッセージパケットの前記優先度を変更する手段と、
を備えた無線通信のためのシステム。
【請求項４】音声符号化されたパケットの第１のストリームを生成する手段と、
シグナリングメッセージパケットの第２のストリームを生成する手段と、
前記第１のストリーム内の前記音声符号化されたパケットに対して前記第２のストリーム内の前記シグナリングメッセージパケットを高優先度パケットと低優先度パケットに優先順位づけする手段と、
前記音声符号化されたパケットと優先順位づけされたシグナリングメッセージパケットとの間で調停する手段と、
前記音声符号化パケットと優先順位づけされたシグナリングメッセージパケットとの間の調停の関数として前記符号化パケットおよび優先順位づけされたシグナリングメッセージパケットを多重化する手段と、
前記多重化された音声符号化パケットと前記優先順位づけされたシグナリングメッセージパケットを送信する手段と、
前記高優先度シグナリングメッセージパケットをプリエンプティブ高優先度パケットとノンプリエンプティブ高優先度パケットに優先順位づけする手段と、
をさらに備えた、請求項１のシステム。
【請求項５】前記シグナリングメッセージパケットを優先順位付けする手段は、各シグナリングメッセージパケットに優先度配布時間を割当てるための手段を含む、請求項１記載のシステム。
【請求項６】第３のストリームの非音声ユーザ情報パケットを生成する手段をさらに具備する、請求項１記載のシステム。
【請求項７】多重化された非音声情報パケットと前記優先順位づけされたシグナリングメッセージパケットを送信するための手段をさらに備えた、請求項６記載のシステム。
【請求項８】非音声ユーザ情報パケットに対して前記シグナリングメッセージパケットを優先順位付けするための手段をさらに備えた、請求項６記載のシステム。
【請求項９】前記非音声ユーザ情報パケットは２次トラフィックから構成される、請求項６記載のシステム。
【請求項１０】音声符号化パケットの第１のストリームを生成するステップと、
シグナリングメッセージパケットの第２のストリームを生成するステップと、
前記第１のストリームの音声符号化パケットに対して前記第２のストリームのシグナリングメッセージパケットを優先順位づけするステップと、
音声符号化パケットと優先順位づけされたシグナリングメッセージパケットを調停するステップと、
音声符号化パケットと優先順位づけされたシグナリングメッセージパケットとの間の調停の関数として前記音声符号化パケットと優先順位づけされたシグナリングメッセージパケットを多重化するステップと、および
前記多重化された音声符号化パケットと前記多重化された優先順位づけされたシグナリングメッセージパケットを送信するステップと、
を備えたトラフィックチャネルメッセージを優先順位づけする方法。
【請求項１１】シグナリングメッセージパケットを高優先度パケットと低優先度パケットに優先順位づけするステップをさらに備え、
前記調停ステップは、シグナリングメッセージパケットの割当てられた優先度の関数として前記多重化された音声符号化パケットとシグナリングメッセージパケットの送信をスケジュールするステップを備えた、請求項１０記載の方法。
【請求項１２】音声符号化パケットの第１のストリームを生成するステップと、
シグナリングメッセージパケットの第２のストリームを生成するステップと、
前記第１のストリーム内の前記音声符号化パケットに対して前記第２のストリーム内の前記シグナリングメッセージパケットを高優先度パケットと低優先度パケットに優先順位づけするステップと、
音声符号化パケットと優先順位づけされたシグナリングメッセージパケットを調停するステップと、
音声符号化パケットと優先順位づけされたシグナリングメッセージパケットとの間の調停の関数として前記音声符号化パケットと優先順位づけされたシグナリングメッセージパケットを多重化するステップと、
前記多重化された音声符号化パケットと前記多重化された優先順位づけされたシグナリングメッセージパケットを送信するステップと、
前記調停ステップは、前記多重化された音声符号化パケットとシグナリングメッセージパケットの送信を前記シグナリングメッセージパケットの前記割り当てられた優先度の関数としてスケジュールするためのステップを備え、
シグナリングメッセージパケットを送信するための割り当てられた最大待ち時間の関数として前記優先順位づけされたシグナリングメッセージパケットの前記優先度を変更するステップと、
を備えた無線通信のためのシステム。
【請求項１３】音声符号化パケットの第１のストリームを生成するステップと、
シグナリングメッセージパケットの第２のストリームを生成するステップと、
前記第１のストリーム内の前記音声符号化パケットに対して前記第２のストリーム内の前記シグナリングメッセージパケットを高優先度パケットと低優先度パケットに優先順位づけし、前記高優先度シグナリングメッセージパケットをプリエンプティブ高優先度パケットとノンプリエンプティブ高優先度パケットに優先順位づけするステップと、
音声符号化パケットと優先順位づけされたシグナリングメッセージパケットを調停するステップと、
音声符号化パケットと優先順位づけされたシグナリングメッセージパケットとの間の調停の関数として前記音声符号化パケットと優先順位づけされたシグナリングメッセージパケットを多重化するステップと、
前記多重化された音声符号化パケットと前記多重化された優先順位づけされたシグナリングメッセージパケットを送信するステップと、
【請求項１４】前記シグナリングメッセージパケットを優先順位づけするステップは、優先度配付時間を各シグナリングメッセージパケットに割当てるステップから構成される、請求項１０記載の方法。
【請求項１５】第３のストリームの非音声ユーザ情報パケットを生成するステップをさらに具備する、請求項１０記載の方法。
【請求項１６】前記多重化された非音声ユーザ情報パケットと優先順位づけされたシグナリングメッセージパケットを送信するステップをさらに具備する、請求項１５記載の方法。
【請求項１７】非音声ユーザ情報パケットに対してシグナリングメッセージパケットを優先順位づけするステップをさらに具備する、請求項１５記載の方法。
【請求項１８】前記非音声ユーザ情報パケットは２次トラフィックから構成される、請求項１５記載の方法。
【請求項１９】音声符号化パケットの第１のストリームと、
シグナリングメッセージパケットの第２のストリームであって、前記シグナリングメッセージパケットは前記第２のストリームにおいて、優先順位づけされる第２のストリームと、
前記第１のストリームおよび前記第２のストリームに接続され、前記音声符号化パケットと前記優先順位づけされたシグナリングメッセージパケットとの間を調停する調停器と、
前記第１のストリーム、前記第２のストリームおよび前記調停器に接続され、音声符号化パケットと優先順位づけされたシグナリングメッセージパケットとの間の調停の関数として前記符号化されたパケットと前記優先順位づけされたシグナリングメッセージパケットを多重化するマルチプレクサと、および
前記マルチプレクサと接続され、前記多重化された音声符号化パケットと多重化され優先順位づけされたシグナリングメッセージパケットを送信する送信器と、
を備えたトラフィックチャネルメッセージを優先順位づけするための装置。
【請求項２０】前記シグナリングメッセージパケットは高優先度パケットおよび低優先度パケットに優先順位づけされ、前記調停器は、音声符号化されたパケットとシグナリングメッセージパケットの前記割当てられた優先度の関数として前記多重化された音声符号化パケットと前記多重化されたシグナリングメッセージパケットの送信をスケジュールするためのスケジューラから構成される、請求項１９記載の装置。
【請求項２１】音声符号化パケットの第１のストリームと、
シグナリングメッセージパケットの第２のストリームであって、前記シグナリングメッセージパケットは、前記第２のストリームにおいて高優先度パケットと低優先度パケットに優先順位づけされる第２のストリームと、
前記第１のストリームおよび前記第２のストリームに接続され、前記音声符号化パケットと前記優先順位づけされたシグナリングメッセージパケットとの間で調停を行う調停器と、
前記第１のストリーム、前記第２のストリーム、および前記調停器に接続され、前記音声符号化パケットと優先順位づけされたシグナリングメッセージパケットとの間の調停の関数として前記音声符号化パケットと前記優先順位づけされたシグナリングメッセージパケットを多重化するマルチプレクサと、
前記マルチプレクサと接続され、前記多重化された音声符号化パケットと、多重化され優先順位づけされたシグナリングメッセージパケットを送信する送信機と、
前記調停器は、前記音声符号化パケットと前記シグナリングメッセージパケットの前記割り当てられた優先度の関数として前記多重化された音声符号化パケットと前記多重化されたシグナリングメッセージパケットの送信をスケジュールするスケジューラを備え、
シグナリングメッセージパケットを送信するための割り当てられた最大待ち時間の関数として前記優先順位づけされたシグナリングメッセージパケットの前記優先度を変更する手段と、
を備えた、トラヒックチャネルメッセージを優先順位づけする装置。
【請求項２２】前記シグナリングメッセージパケットは優先度配布時間が割当てられている請求項１９記載の装置。